(57)【特許請求の範囲】
【請求項１】
一方に開口部を有する箱状のちり受け部材と、このちり受け部材に連結された柄部材とを備えたちり取りであって、
上記ちり受け部材は、上記開口部を部分的に規定する所定幅の第１の掃き入れ縁を有する底面板と、上記開口部を部分的に規定し、かつ、上記第１の掃き入れ縁と略直交し、かつ上記第１の掃き入れ縁よりも狭幅の第２の掃き入れ縁を有する側面板と、上記底面板の上方に位置する天井板とを含んで形成されており、
上記柄部材は、上記天井板に対し、上記底面板に対して起立する第１の回動位置と、上記側面板に対して起立し、かつ上記第１の掃き入れ縁と平行な第２の回動位置とを選択できるように、回動可能に連結されており、
上記柄部材は、上記ちり受け部材の天井板に設置された回動支持手段を介して上記天井板に連結されており、上記回動支持手段は、所定の回動軸を中心として上記柄部材を回動可能に支持するとともに、上記柄部材を上記第１の回動位置と上記第２の回動位置とにおいて弾性的に係止することを特徴とする、のちり取り。
【請求項２】
上記天井板には、その前縁部、および上記側面板に近い略半分領域に対して段落ちする凹陥部が形成されており、この凹陥部に上記回動支持手段が設置されている、請求項１に記載のちり取り。
【請求項３】
上記ちり受け部材の上記側面板は、その外面が接地させられたときに上記第２の掃き入れ縁が傾斜状に接地するように、その前後方向中間部が内方に向けて凹むように屈曲している、請求項１または２に記載のちり取り。
【請求項４】
上記回動支持手段は、上記柄部材が上記第１の回動位置にあるとき、上記柄部材の延長上に上記ちり受け部材の重心が位置するように配置されている、請求項１ないし３のいずれかに記載のちり取り。
【発明の詳細な説明】
【技術分野】
【０００１】
本発明は、床面や地面の上のゴミを掃き集める際に用いられる比較的長いちり受け縁と、溝などのゴミを集めるための比較的短いちり受け縁とを有するちり取りに関する。
【背景技術】
【０００２】
図９および図１０には、従来のちり取りの一例を示している（たとえば特許文献１参照）。図９および図１０に示すちり取りＸは、前方に開口するちり受け部材９０と、ちり受け部材９０の後端に連結された柄部材９７とによって構成されている。ちり受け部材９０は、底面板９１、底面板９１と直交する側面板９２，９３，９４、底面板９１に対向する天井板９５、および、側面板９３に設置された取付金具９６によって構成されている。底面板９１の前縁部には掃き入れ縁９１ａが形成されており、側面板９２の前縁部には掃き入れ縁９２ａが形成されている。側面板９２は、底面板９１よりも小さく、掃き入れ縁９２ａは、掃き入れ縁９１ａよりも短くなっている。取付金具９６は、互いに直交する方向に延びる孔９６ａ，９６ｂを有している。柄部材９７は、一方の端が孔９６ａまたは孔９６ｂに挿入されることによって、側面板９３と連結される。
【０００３】
図９には、ちり取りＸを床面や地面などの一般平地に対して使用する状態を示している。このとき、比較的長い掃き入れ縁９１ａが床面や地面に当接させられ、この掃き入れ縁９１ａからちり取りＸの内部にゴミを掃き入れることにより、床面や地面の清掃を行うことができる。図９に示す状態では、柄部材９７の一方の端は孔９６ａに挿入されている。
【０００４】
一方、図１０には、ちり取りＸを溝に対して使用する状態を示している。このとき、比較的短い掃き入れ縁９２ａを溝に挿し込み、溝の底面に当接させ、この掃き入れ縁９２ａからちり取りＸの内部にゴミを掃き入れることにより、溝の清掃を行うことができる。図１０に示す状態では、柄部材９７の一方の端は孔９６ｂに挿入されている。
【０００５】
このように、ちり取りＸは、床面や地面などの一般平地における清掃に用いることができるとともに、溝の清掃にも用いることができる。
【０００６】
しかしながら、ちり取りＸでは、図９に示す状態と図１０に示す状態とを切り替える際に、柄部材９７を取付金具９６の孔９６ａ，９６ｂからいったん引き抜き、その後に別の孔９６ａ，９６ｂに挿し込む必要があった。この切り替え作業は、片手で行うのは困難であり、清掃作業を中断して箒を床面や地面にいったん置く必要があった。また、ちり取りＸでは、柄部材９７がちり受け部材９０の後端に連結されているため、ちり取りＸを持ち上げて移動する際に底面板９１が地面に対して傾きやすく、掃き入れ縁９１ａからゴミが零れ落ちることがあった。
【０００７】
【特許文献１】特開２００７−２０３０２３号公報
【発明の開示】
【発明が解決しようとする課題】
【０００８】
本発明は、上記した事情のもとで考え出されたものであって、一般平地に対して使用する状態と溝に対して使用する状態とを容易にかつ迅速に切り替え可能なちり取りを提供することを課題とする。
【課題を解決するための手段】
【０００９】
本発明によって提供されるちり取りは、一方に開口部を有する箱状のちり受け部材と、このちり受け部材に連結された柄部材とを備えたちり取りであって、上記ちり受け部材は、上記開口部を部分的に規定する所定幅の第１の掃き入れ縁を有する底面板と、上記開口部を部分的に規定し、かつ、上記第１の掃き入れ縁と略直交し、かつ上記第１の掃き入れ縁よりも狭幅の第２の掃き入れ縁を有する側面板と、上記底面板の上方に位置する天井板とを含んで形成されており、上記柄部材は、上記天井板に対し、上記底面板に対して起立する第１の回動位置と、上記側面板に対して起立し、かつ上記第１の掃き入れ縁と平行な第２の回動位置とを選択できるように、回動可能に連結されており、上記柄部材は、上記ちり受け部材の天井板に設置された回動支持手段を介して上記天井板に連結されており、上記回動支持手段は、所定の回動軸を中心として上記柄部材を回動可能に支持するとともに、上記柄部材を上記第１の回動位置と上記第２の回動位置とにおいて弾性的に係止することを特徴とする。
【００１０】
このような構成によれば、上記ちり取りは、上記柄部材を回動させることによって、比較的容易に上記第１の掃き入れ縁からゴミを掃き入れる状態と、上記第２の掃き入れ縁からゴミを掃き入れる状態とを切り替えることができる。
【００１２】
本発明の好ましい実施の形態においては、上記天井板には、その前縁部、および上記側面板に近い略半分領域に対して段落ちする凹陥部が形成されており、この凹陥部に上記回動支持手段が設置されている。このような構成によれば、上記回動支持手段が上記ちり取りの外方に突出するのを抑えることができる。
【００１３】
本発明の好ましい実施の形態においては、上記ちり受け部材の上記側面板は、その外面が接地させられたときに上記第２の掃き入れ縁が傾斜状に接地するように、その前後方向中間部が内方に向けて凹むように屈曲している。このような構成によれば、上記第２の掃き入れ縁から上記ちり受け部材の内部にゴミを掃き入れ易くなる。
【００１４】
さらに、好ましい実施の形態においては、上記回動支持手段は、上記柄部材が上記第１の回動位置にあるとき、上記柄部材の延長上に上記ちり受け部材の重心が位置するように配置されている。このような構成によれば、上記柄部材を把持して上記ちり取りを持ち上げた際に、上記ちり取りが傾きにくくなる。このため、上記ちり取りを持ち運ぶ際に収容したゴミが零れ落ち難くなっている。
【００１５】
本発明のその他の特徴および利点は、添付図面を参照して以下に行う詳細な説明によって、より明らかとなろう。
【発明を実施するための最良の形態】
【００１６】
以下、本発明の好ましい実施の形態につき、図面を参照して具体的に説明する。
【００１７】
図１〜図８は、本発明に係るちり取りの一例を示している。本実施形態のちり取りＡは、ちり受け部材１０と、柄部材２０と、ゴム縁３０と、を備えており、柄部材２０を回動させることによって図１に示す第１の使用形態と図８に示す第２の使用形態とを切り替え可能に構成されている。図１は、ちり取りＡの第１の使用形態を前方から見た斜視図を示している。図２は、図１の右方から見た場合のちり取りＡの側面図を示している。図３は、ちり取りＡの上方から見た平面図を示しており、柄部材２０およびゴム縁３０を省略している。図４は図３のIV-IV線に沿う断面図であり、図５は図３のV-V線に沿う断面図である。図６および図７はちり取りＡを第１の使用形態から第２の使用形態へ移行させる様子を示す断面図である。図８はちり取りＡの第２の使用形態における側面図である。なお、以下の説明における前後および上下の方向は図１の上下および前後方向に沿うとする。
【００１８】
ちり受け部材１０は、たとえばポリプロピレンによって前方に開口部１０ａを有する箱状に形成されており、底面板１１、側面板１２、側面板１３、天井板１４、および、回動支持手段１５を備えている。開口部１０ａは、底面板１１の前縁部、側面板１２の前縁部、および、天井板１４の前縁部１４１によって規定されている。
【００１９】
底面板１１は、図１に示すように、前方に向かって徐々に広がる略矩形状であり、その前縁部が第１の掃き入れ縁１１１となるように形成されている。ちり取りＡの第１の使用形態においては、第１の掃き入れ縁１１１から底面板１１にゴミが掃き入れられる。本実施形態では、たとえば、底面板１１の前後方向に沿う長さは２９０ｍｍであり、第１の掃き入れ縁１１１の長さは２７２ｍｍ、底面板１１の後縁の長さは２１１ｍｍとなっている。また、底面板１１の上下方向に沿う厚みは３ｍｍとなっている。
【００２０】
側面板１２は、図５に示すように底面板１１の一方の側縁から上方に向けて起立するように形成されており、その前縁部が第２の掃き入れ縁１２１となっている。図３に示すように、側面板１２は、前後方向中間部にちり取りＡの内方に向けて凹むように屈曲部１２２が設けられている。図８に示すちり取りＡの第２の使用形態においては、第２の掃き入れ縁１２１から側面板１２にゴミが掃き入れられる。本実施形態では、たとえば、側面板１２の上下方向の長さは９０ｍｍであり、屈曲部１２２は第２の掃き入れ縁１２１から前後方向に沿って６０ｍｍ後方に形成されている。また、側面板１２の屈曲部１２２より後方の部分の第１の掃き入れ縁１１１に対する傾斜は８５°であり、側面板１２の屈曲部１２２より前方の部分の第１の掃き入れ縁１１１に対する傾斜は７６°となっている。この側面板１２の厚みは、底面板１１と同様に３ｍｍである。
【００２１】
側面板１３は、図４に示すように、底面板１１の後縁から上方に向けて起立するように形成されている。さらに、側面板１３の一方の側縁は、側面板１２の後縁に接しており、他方の側縁および上縁は天井板１４の後縁と接している。この側面板１３は、本実施形態では、たとえば、上下方向長さが５０ｍｍであり、上下方向と直交する方向の長さが２１１ｍｍである略矩形状の断面を有し、厚さが３ｍｍとなるように形成されている。
【００２２】
天井板１４は、図４および図５に示すように、底面板１１の他方の側縁および側面板１２，１３の上縁に隣接するように形成されている。この天井板１４の前縁部１４１は、図３に示すように、中央部が後方に退避するように形成されている。この天井板１４は、図４および図５に示すように、段差部１４２，１４３および凹嵌部１４４を有するように形成されている。図３に示すように、段差部１４２は、ちり取りＡの前後方向に沿う中央線Ｃ付近の側面板１２寄りの位置に、中央線Ｃにほぼ沿うように形成されている。段差部１４３は、段差部１４２よりも中央線Ｃ寄りの天井板１４の前縁部１４１付近に、中央線Ｃと直交する方向に沿うように形成されている。凹陥部１４４は、これらの段差部１４２，１４３によって側面板１２寄りの領域および前縁部１４１に対して段落ちするように形成されている。さらに、天井板１４の前縁部１４１の中央部にはちり取りＡの外方に突出する膨出部１４５が形成されている。膨出部１４５は、前縁部１４１と段差部１４３との間に、中央線Ｃに沿って円形の断面を有するように形成されている。本実施形態においては、たとえば、前縁部１４１の頂上は底面板１１の外面から９８ｍｍ程度上方に位置しており、膨出部１４５の頂上は底面板１１の外面から１１６ｍｍ上方に位置している。また、凹陥部１４４の頂上は、底面板１１の外面から７９ｍｍ上方に位置している。この天井板１４も底面板１１および側面板１２，１３と同様に厚み３ｍｍの板状に形成されている。ただし、段差部１４２，１４３における天井板１４の上下方向における厚み寸法が、たとえば、６〜２０ｍｍに増大している。
【００２３】
回動支持手段１５は、中央線Ｃに沿って膨出部１４５の所定距離後方に、膨出部１４５と対向するように設けられている。この回動支持手段１５は、図５に示すように、凹部１５１，１５２および中心孔１５３を有しており、凹陥部１４４から断面略円形状に膨出するように形成されている。凹部１５１は、回動支持手段１５の頂上付近に形成されている。凹部１５２は、回動支持手段１５の中央線Ｃからより遠い方の端部に形成されており、凹部１５１を９２°回転させた位置に形成されている。中心孔１５３には、前後に延びる回動軸１６が通されている。本実施形態においては、この回動支持手段１５は、ちり受け部材１０の重心の真上に形成されている。さらに、凹部１５１，１５２は、その断面が滑らかな略半円状となるように形成されている。
【００２４】
柄部材２０は、グリップ２１、パイプ柄２２、および、連結部２３からなる。ちり取りＡの第１の使用形態においては、柄部材２０は底面板１１に対して起立する第１の回動位置に固定されている。ちり取りＡの第２の使用形態においては、柄部材２０は、側面板１２に対して起立する第２の回動位置に固定されている。グリップ２１は、たとえばポリプロピレンにより形成されており、ちり取りＡの使用者が手で握り、ちり取りＡを保持するための部材である。グリップ２１は、図１に示すように、その下端付近から前方に突出する一対の板状部材からなる箒用保持部材２１１を備えている。この箒用保持部材２１１は、箒の柄を挟んで保持することができる。このグリップ２１の下端にはパイプ柄２２が接続されている。パイプ柄２２は、たとえばアルミ製であり、上下方向に沿って延びる円筒状に形成されている。このパイプ柄２２の下端には連結部２３が接続されている。連結部２３は、柄部材２０を回動支持手段１５と連結するための部材である。図２に示すように、連結部２３の下端は回動支持手段１５を前後から挟むように二股に形成されている。連結部２３の二股に分かれた部分はいずれも回動軸１６の両端が貫通させられている。連結部２３は、回動軸１６を中心として回動可能なように回動支持手段１５に連結されている。さらに、図５に示すように、この連結部２３は、硬質の樹脂によって中空に形成されており、内部に凸部材２３１、バネ２３２、および係止金具２３３，２３４を備えている。連結部２３の下端には、凸部材２３１の下端が下方に突出するように開口が設けられている。
【００２５】
凸部材２３１は、ちり取りＡの第１の使用形態においては、図５に示すようにその下端が凹部１５１に嵌合するように形成されており、その上端にバネ２３２の下端および係止金具２３３の下端が連結されている。凸部材２３１の上端付近は側方に張り出すように形成されており、連結部２３の下端から抜け落ちないようになっている。バネ２３２は、その上端が係止金具２３４に連結されており、凸部材２３１と係止金具２３４とが離間するように弾力を発揮する。係止金具２３３は、凸部材２３１の上端から上方に向けて突出しており、その上端が側方に張り出すように形成されている。係止金具２３４は、係止金具２３３が挿通する孔２３５を有しており、その下端付近が連結部２３の内方に向けて張り出すように形成されている。孔２３５は、係止金具２３３の上端が通らない径に形成されている。図５に示すように凸部材２３１が連結部２３の下端の開口周縁に引っかかるときに、係止金具２３３の上端の張り出した部分が孔２３５の周縁に引っかかるように係止金具２３３の長さは調整されている。
【００２６】
凹部１５１と凸部材２３１との嵌合は、バネ２３２の弾力によって保たれているため、バネ２３２の弾力を上回る力で凸部材２３１を連結部２３の内部に押し込むことにより、凹部１５１と凸部材２３１との嵌合を解除することができる。凹部１５１と凸部材２３１との嵌合が解除されると、図６に示すように柄部材２０を回動させることが可能となる。柄部材２０を回動させていくと、最終的に図７に示すように、凸部材２３１が凹部１５２に嵌合し、柄部材２０が第２の回動位置に固定される。
【００２７】
図８に示すちり取りＡの状態は、図７に示すように柄部材２０を第２の回動位置に固定した後に、グリップ２１を持ってちり取りＡを持ち上げることで自然に得ることができる。
【００２８】
ゴム縁３０は、たとえばエチレンプロピレンジエンゴム製であり、第１の掃き入れ縁１１１の略全長に渡って覆うように底面板１１に取り付けられている。このため、ちり取りＡの第１の使用形態において、底面板１１にゴミを掃き入れる際には、比較的柔らかいゴム縁３０が地面に当接し、ゴミを掃き入れやすくなっている。
【００２９】
次に、上記構成のちり取りＡの作用について説明する。
【００３０】
ちり取りＡは、上述したように、第１と第２の使用形態を切り替えることが可能となっている。第１の使用形態において、ちり取りＡは、比較的長い第１の掃き入れ縁１１１を床面や地面に当接させ、底面板１１にゴミを掃き入れるようにして用いられる。この形態は一般の平地において清掃を行うのに適している。一方、第２の使用形態において、ちり取りＡは、比較的短い第２の掃き入れ縁１２１を床面や地面に当接させ、側面板１２にゴミを掃き入れるようにして用いられる。この形態は、たとえば溝などの狭い場所の清掃を行うのに適している。
【００３１】
このちり取りＡにおいては、第１と第２の回動位置を切り替えることによって第１と第２の使用形態を速やかに切り替えることが可能となっている。図５〜７に示すように、凹部１５１，１５２は略半円状の断面を有するように形成されているため、柄部材２０を回動軸１６周りに回動させるように力を加えた際に凹部１５１と凸部材２３１との嵌合が外れやすくなっている。さらに、凹部１５１，１５２を繋ぐ回動支持手段１５の面は滑らかな曲面となっているため、柄部材２０を回動させる際に凸部材２３１が回動支持手段１５の外周に引っかかりにくくなっている。このため、ちり取りＡは第１と第２の使用形態を容易かつ迅速に切り替えることができる。
【００３２】
さらに本実施形態では、外方に突出する回動支持手段１５が、内方に凹む凹陥部１４４に設置されている。このため、第２の使用形態において、ちり受け部材１０を溝などに挿し込む際に、回動支持手段１５が引っかかりにくくなっている。
【００３３】
またさらに、本実施形態では、段差部１４２，１４３における天井板１４の上下方向における厚み寸法が増大しており、段差部１４２，１４３が天井板１４の中央部で交差するように形成されているため、天井板１４全体が上下方向の圧力によって変形しにくくなっている。
【００３４】
またさらに、本実施形態では、回動支持手段１５がちり受け部材１０の重心の上方に設けられているため、グリップ２１を持ってちり取りＡを持ち上げた際に、ちり受け部材１０が傾きにくくなっている。このため、ちり取りＡは一旦掃き入れられたゴミが零れ落ちにくくなっている。
【００３５】
またさらに、本実施形態では、側面板１２に屈曲部１２２が形成されているため、第２の使用形態において、第２の掃き入れ縁１２１を床面または溝面に一定の傾斜をもたせて当接させることができる。このため、ちり取りＡは、第２の使用形態においても、ゴミを掃き入れ易くなっている。
【００３６】
本発明に係るちり取りは、上述した実施形態に限定されるものではない。本発明に係るちり取りの各部の具体的な構成は、種々に設計変更自在である。たとえば、第１の掃き入れ縁１１１にゴム縁３０を取り付けずに、直接第１の掃き入れ縁を地面に当接させる構成としても構わない。
【図面の簡単な説明】
【００３７】
【図１】本発明に係るちり取りの一例を示す斜視図である。
【図２】図１に示すちり取りを右方から見た側面図である。
【図３】図１に示すちり取りを上方から見た平面図である。
【図４】図３のIV-IV線に沿う断面図である。
【図５】図３のV-V線に沿う断面図である。
【図６】柄部材を回動させる途中の断面図である。
【図７】柄部材を回動させた後の断面図である。
【図８】図１に示すちり取りの使用例を示す側面図である。
【図９】従来のちり取りを一般平地に対して用いる際の斜視図である。
【図１０】従来のちり取りを溝に対して用いる際の斜視図である。
【符号の説明】
【００３８】
Ａ              ちり取り
１０            ちり受け部材
１０ａ          開口部
１１            底面板
１２，１３      側面板
１４            天井板
１５            回動支持手段
１６            回動軸
２０            柄部材
２１            グリップ
２２            パイプ柄
２３            連結部
３０            ゴム縁
１１１          第１の掃き入れ縁
１２１          第２の掃き入れ縁
１２２          屈曲部
１４１          前縁部
１４２，１４３  段差部
１４４          凹陥部
１４５          膨出部
１５１，１５２  凹部
２１１          箒用保持部材
２３１          凸部材
２３２          バネ
２３３，２３４  係止金具
２３５          孔
【図１】
0005108466.tif 000002
【図２】
0005108466.tif 000003
【図３】
0005108466.tif 000004
【図４】
0005108466.tif 000005
【図５】
0005108466.tif 000006
【図６】
0005108466.tif 000007
【図７】
0005108466.tif 000008
【図８】
0005108466.tif 000009
【図９】
0005108466.tif 000010
【図１０】
0005108466.tif 000011